(57)【要約】      （修正有）【課題】譜面又は譜面本の厚さの如何に拘わらず、確実かつ安定して支持できる鍵盤楽器に使用される譜面台を提供する。【解決手段】鍵盤楽器に使用される譜面台１０であって、基板部１４と、上記基板部の左右方向に沿ってスライド可能に設けられた一対の譜面支持部１５と、上記一対の譜面支持部の左右方向外方にさらにスライド可能に設けられた一対のケース部１６とを有する。さらに、上記基板部の前面部１９側には、譜面が配置された場合に上記譜面の背面側に当設して譜面を上記前面部の一般面１９ａよりも前出して配置させる突条部２０を設ける。上記ケース部は、譜面の左右方向両端部を包持し、上記突条部との間に譜面の左右方向両端を挟持しうる譜面押さえ片部２１を有し、上記譜面支持部は、譜面が配置された場合に上記譜面の左右方向両側部を上記譜面押さえ片部方向に前出させて配置しうる支持面部２４を有している。【選択図】図３
0003162687.tif 000002
【実用新案登録請求の範囲】
【請求項１】
鍵盤楽器に使用される譜面台であって、
基板部と、上記基板部の左右方向に沿ってスライド可能に設けられた一対の譜面支持部と、上記一対の譜面支持部の左右方向外方にさらにスライド可能に設けられた一対のケース部とを有し、
上記基板部の前面部側には、譜面が配置された場合に上記譜面の背面側に当設して譜面を上記前面部の一般面よりも前出して配置させる突出部を有し、
上記ケース部は、譜面の左右方向両端部を包持し、上記突出部との間に譜面の左右方向両端を挟持しうる譜面押さえ片部を有し、
上記譜面支持部は、譜面が配置された場合に上記譜面の左右方向両側部を上記譜面押さえ片部方向に前出させて配置しうる支持面部を有していることを特徴とする譜面台。
【請求項２】
上記突出部は、上記基板部の左右方向に沿って設けられた突条部により形成され、上記譜面支持部は上記基板部を内部に収納しうる薄型箱状に形成されると共に、上記ケース部は上記基板部及び譜面支持部を収納しうる箱状に形成され、上記譜面支持部は上記ケース部の厚さ寸法よりも小さい厚さ寸法に形成されていることを特徴とする請求項１記載の譜面台。
【請求項３】
上記ケース部の背面部には折畳み可能な脚部が設けられ、上記基板部、上記譜面支持部、及び上記ケース部の上下寸法は、Ａ４サイズの譜面を支持しうる長さ寸法を有していると共に、上記譜面支持部及び上記ケース部をスライドさせて展開した場合にはＡ４サイズの譜面を２枚連続して横に並べて収納できる左右方向の長さ寸法を有することを特徴とする請求項２記載の譜面台。
【請求項４】
上記譜面支持部は、譜面支持部が両側端部に至るに従って厚さ寸法が徐徐に大きくなるように形成され、支持面部は両側端部に至るに従って除除に前出することを特徴とする請求項３記載の譜面台。
【請求項５】
上記譜面押さえ片部は、ケース部の上下縁部及び、側縁部上方部及び側縁部下方部においては細幅に設けられると共に、側縁部の中間部においては太幅に設けられていることを特徴とする請求項１記載の譜面台。
【考案の詳細な説明】
【技術分野】
【０００１】
本考案は改良された譜面台に関する。
【背景技術】
【０００２】
一般に、ピアノ等の鍵盤楽器にあっては、譜面を立て懸けるための譜面台が設けられているが、譜面を自立した状態で立て懸けることが難しいと共に、自立させるために本等で固定した場合にはページをめくりにくいことから非常に使いにくい、という不具合があった。
【０００３】
そこで、従来より、図６及び図７に示すような譜面台５０が提案されていた。このような譜面台５０は、ベース部５１と、上記ベース部５１上に立設され、長さ方向の中央部に溝部からなる背表紙受け部５７を有する譜面台本体５２とを備えている。
上記譜面台本体５２は、板状の譜面支え部５３、５３と、上記譜面支え部５３、５３の長さ方向両端部にスライド固定可能に配設されたページ押さえ部５４、５４とを有し、上記ページ押さえ部５４、５４は、譜面ページの幅方向両端部を挟むクリップ部５５、５５を有している。
【０００４】
従って、譜面本５６を立て懸ける場合には、背表紙５８を上記背表紙受け部５７に保持させて譜面台本体５２に立て懸け、譜面ページ５９の両端部を上記クリップ部５５により挟んで固定して使用するものである
【０００５】
しかしながら、このような従来の譜面台５０にあっては、譜面本５６の中で演奏に使用する譜面ページ５９を選択して立て懸ける場合、上記クリップ部５５により当該譜面ページ５９の幅方向両端部を挟持することのみにより譜面本５６を譜面台５０に固定することとしていたことから、所定の厚さの譜面本５６を立て懸けた場合には充分に固定しきれず、また、演奏の進行に応じて譜面ページ５９をめくった際に倒れてしまう場合がある、という欠点があった。
【考案の開示】
【考案が解決しようとする課題】
【０００６】
本考案の課題は、譜面又は譜面本の厚さの如何に拘わらず、確実かつ安定して支持できる鍵盤楽器に使用される譜面台を提供することにある。
【課題を解決するための手段】
【０００７】
請求項１記載の考案にあっては、  鍵盤楽器に使用される譜面台であって、基板部と、上記基板部の左右方向に沿ってスライド可能に設けられた一対の譜面支持部と、上記一対の譜面支持部の左右方向外方にさらにスライド可能に設けられた一対のケース部とを有し、上記基板部の前面部側には、譜面が配置された場合に上記譜面の背面側に当設して譜面を上記前面部の一般面よりも前出して配置させる突出部を有し、上記ケース部は、譜面の左右方向両端部を包持し、上記突出部との間に譜面の左右方向両端を挟持しうる譜面押さえ片部を有し、上記譜面支持部は、譜面が配置された場合に上記譜面の左右方向両側部を上記譜面押さえ片部方向に前出させて配置しうる支持面部を有していることを特徴とする。
【０００８】
従って、請求項１記載の考案にあっては、使用時には鍵盤楽器の演奏者前面の所定部位に載置し、上記基板部の左右両側方向に一対の譜面支持部を夫々スライドして展開させ、さらに、上記一対の譜面支持部の外方に夫々、上記ケース部及び上記譜面支持部を譜面のサイズに合わせてスライドさせて展開させた状態で、譜面を基板部、譜面支持部上に置き、譜面の左右方向両端部を上記譜面押さえ片部により保持又はカバーして譜面を譜面台に固定する。
【０００９】
請求項２記載の考案にあっては、上記突出部は、上記基板部の左右方向に沿って設けられた突条部により形成され、上記譜面支持部は上記基板部を内部に収納しうる薄型箱状に形成されると共に、上記ケース部は上記基板部及び譜面支持部を収納しうる箱状に形成され、上記譜面支持部は上記ケース部の厚さ寸法よりも小さい厚さ寸法に形成されていることを特徴とする。
従って、請求項２記載の考案にあっては、基板部上に配置された譜面は上記突条部により基板部一般面よりも前面側に前出し、上記譜面支持部と上記押さえ片部との間に配置される。また、上記基板部は上記譜面支持部に収納され、さらに、基板部及び譜面支持部はケース部に収納される。
【００１０】
請求項３記載の考案にあっては、上記ケース部の背面部には折畳み可能な脚部が設けられ、上記基板部、上記譜面支持部、及び上記ケース部の上下寸法は、Ａ４サイズの譜面を支持しうる長さ寸法を有していると共に、上記譜面支持部及び上記ケース部をスライドさせて展開した場合にはＡ４サイズの譜面を２枚連続して横に並べて収納できる左右方向の長さ寸法を有することを特徴とする。
【００１１】
従って、請求項３記載の考案にあっては、上記脚部を使用して立てることができ、Ａ４版の長さ方向の長さ寸法は確保されていると共に、Ｂ４、Ａ３版等の譜面の印刷、製本サイズに応じて使用することができる。
【００１２】
請求項４記載の考案にあっては、上記譜面支持部が両側端部に至るに従って厚さ寸法が徐徐に大きくなるように形成され、上記支持面部は両側端部に至るに従って除除に前出することを特徴とする。
従って、請求項４記載の考案にあっては、本考案に係る譜面台に譜面又は譜面本が配置された場合には、譜面本の背表紙から譜面の各ページの左右両端部方向へ至るに従って前出して配置されるように構成されている。
【００１３】
請求項５記載の考案にあっては、上記譜面押さえ片部は、ケース部の上下縁部及び、側縁部上方部及び側縁部下方部においては細幅に設けられると共に、側縁部の中間部においては太幅に設けられていることを特徴とする。
その結果、基板部及び譜面支持部上に載置された譜面又は譜面本を上記譜面押さえ片部が保持すると共に、譜面が複数枚に亘る場合には、上記細幅の部位の近傍で指によりページをめくることができる。
【考案の効果】
【００１４】
請求項１記載の考案にあっては、上記のように、上記基板部の前面部側には、譜面が配置された場合に上記譜面の背面側に当設して譜面を上記前面部一般面よりも前出して配置させる突出部を有し、上記ケース部は、譜面の左右方向両端部を包持すると共に上記突出部との間に譜面の左右方向両端を挟持しうる譜面押さえ片部を有し、上記譜面支持部は、譜面が配置された場合に上記譜面の左右方向両側部を上記譜面押さえ片部方向に前出させて配置しうる支持面部を有していることから、譜面又は譜面本は上記譜面押さえ片部と上記突出部及び上記支持面部との間に挟まれて保持され、譜面の枚数、譜面本の厚さ寸法の如何に拘わらず、確実かつ安定して譜面又は譜面本を自立した状態で支持することができる。
また、演奏の進行に応じて譜面のページをめくる場合であっても、譜面又は譜面本が安定して保持されていることから、譜面又は譜面本が倒れることがない。
【００１５】
請求項２記載の考案にあっては、上記突出部は、上記基板部の左右方向に沿って設けられた突条部により形成され、上記譜面支持部は上記基板部を内部に収納しうる薄型箱状に形成されると共に、上記ケース部は、上記基板部及び譜面支持部を収納しうる箱状に形成され、上記譜面支持部は、上記ケース部の厚さ寸法よりも小さい厚さ寸法に形成されていることを特徴とする。
【００１６】
基板部上に配置された譜面は上記突条部により基板部一般面よりも前面側に前出し、上記譜面支持部と上記押さえ片部との間に配置されることから、請求項１記載の考案におけると同様に、譜面の枚数、譜面本の厚さ寸法の如何に拘わらず、確実かつ安定して支持することができる。
【００１７】
また、上記ケース部は、上記基板部及び譜面支持部を収納しうる箱状に形成されていることから、非使用時には基板部及び譜面支持部を上記ケース部内に収納してコンパクトな状態で保管することができる。
【００１８】
請求項３記載の考案にあっては、脚部を使用して適宜の場所に設置することができる。また、譜面の一般的なサイズであるＡ４の長さ方向の長さ寸法は確保されていると共に、Ｂ４、Ａ３等の譜面の印刷、製本サイズに応じて使用することができることから、譜面の大きさ又は譜面本の大きさいの如何に拘わらず、確実かつ安定した状態で支持することができる。
【００１９】
請求項４記載の考案にあっては、本考案に係る譜面台に譜面本が配置された場合には、譜面本の背表紙から譜面の各ページの左右両端部方向へ至るに従って前出した配置されるように構成されていることから、例えば、所定の厚さ寸歩を有する譜面本を本考案に係る譜面台に載置した場合には、譜面本の左右方向の両端部方向に至るに従って、譜面本は所定の押圧力により譜面押さえ片部に押圧されることからより確実に譜面本を譜面台上において支持させることができる。
【００２０】
請求項５記載の考案にあっては、譜面が複数に及ぶ場合もしくは、所定の暑さ寸法を有する譜面本の場合には、上記細幅の部位の近傍で指によりページをめくることができるため、演奏者の演奏の妨げになることなく、安定かつ確実に譜面又は譜面本を支持することができる譜面台を提供することができる。
【図面の簡単な説明】
【００２１】
【図１】本考案に係る譜面台の一実施の形態を示す斜視図であって、脚部を使用し、譜面支持部とケース部をスライドさせて展開させずに使用する状態を示す図である。
【図２】本考案に係る譜面台の一実施の形態を示し、非使用状態の譜面台を示す背面図である。
【図３】本考案に係る譜面台の一実施の形態を示す斜視図であって、脚部を使用すると共に、譜面支持部とケース部をスライドさせて最大に展開した状態を示す図である。
【図４】本考案に係る譜面台の一実施の形態を示す断面図であって、図３のＩＶ―ＩＶ線相当断面図である。
【図５】本考案に係る譜面台の一実施の形態を示す斜視図であって、譜面または譜面本の大きさに合わせて使用している状態を示す図である。
【図６】従来の譜面台の一例を示す分解斜視図である。
【図７】従来の譜面台の一例を示す横断面である。
【考案を実施するための最良の形態】
【００２２】
以下、添付図面に示す実施の形態に基づき本考案を詳細に説明する。
図１に示すように、本実施の形態に係る譜面台１０は、合成樹脂製の譜面台本体１１と、上記譜面台本体１１の背面部１２に設けられた金属製の脚部１３とを備えている。
この脚部１３は、図２に示すように、譜面台本体部１１を構成する一対のケース部１６、１６に、固定部１３ｂ、１３ｂに夫々、回動可能に固定された一対のコ字状の脚１３ａ、１３ａにより構成されている。
【００２３】
図３に示すように、上記譜面台本体１１は、基板部１４と、上記基板部１４の左右方向に沿ってスライド可能に設けられた一対の譜面支持部１５、１５と、上記一対の譜面支持部１５、１５の左右方向外方にさらにスライド可能に設けられた一対のケース部１６、１６とを有している。
【００２４】
上記基板部１４は、全体略長方形状であってＡ４サイズの譜面を載置できるようにＡ４のサイズよりもやや大きく形成され、上下両端部には折曲片からなるガイド部１７、１７が形成されている。
このガイド部１７、１７には、譜面支持部１５、１５の上下端部に形成された折曲片部１８、１８が、折曲片部１８、１８の内方側に形成されたスライダ部（図示せず）を介してスライド可能に係合している。
【００２５】
上記基板部１４の前面部１９には、譜面が配置された場合に上記譜面の背面側に当設して譜面を上記前面部１９の一般面１９ａよりも前出して配置させる突条部２０が、長さ方向の中間部位において左右方向に形成されている。
また、基板部１４には２本のスリット２２、２２が上下に所定間隔をおいて左右方向に沿って開設され、譜面支持部１５、１５の背面部側に形成されたスライダ部（図示せず）がスライド可能に係合している。
【００２６】
上記基板部１４には、基板部１４の左右方向に沿ってスライド可能に形成された譜面支持部１５、１５が固定されている。図３に示すように、譜面支持部１５、１５は、上記基板部１４の長さ寸法と同一であって、幅寸法は基板部１４の１／２に形成されている。譜面支持部１５、１５は、上記基板部１４が左右方向に沿って内部に出没可能な薄型箱状に形成されている。
【００２７】
図３に示すように、長さ方向の中間部には左右方向に沿って、上記基板部１４に設けられた突条部２０を内部に収納するスリット２３が開設されており、譜面支持部１５、１５をスライドさせた場合には、上記突条部２０は上記スリット２３内を左右方向に移動する。
【００２８】
上記譜面支持部１５、１５は、譜面が配置された場合に上記譜面の左右方向両側部を上記譜面押さえ片部方向に前出させて配置しうる支持面部２４を有している。
図４に示すように、上記支持面部２４は、譜面支持部１５、１５が両側端部に至るに従って厚さ寸法が徐徐に大きくなるように形成され、その結果、上記支持面部２４は左右方向の内方端部２５から外方端部２６へ至るに従って前出する傾斜面により形成されている。
【００２９】
図３に示すように、譜面支持部１５、１５の上下端部に形成された折曲片部１８、１８が、折曲片部１８、１８の外方側には溝部２７、２７が形成され、上記ケース部１６、１６が、上記溝部２７、２７にスライド可能に係合する図示外のスライダ部を介してスライド可能に取り付けられている。
【００３０】
上記ケース部１６、１６は、上記突条部２０との間に譜面の左右方向両端を挟持しうる譜面押さえ片部２１を有している。上記ケース部１６、１６は、上記基板部１４及び譜面支持部１５を収納しうる薄型の開口箱状に形成されている。
ケース部１６、１６は、上記譜面支持部１５、１５の長さ寸法及び幅寸法よりもやや大きく形成されており、図１に示すように、スライドさせて縮小させて場合には、夫々、基板支持部１５及び基板部１４の幅方向の半分の部位を内部に収納しうるように構成されている。
【００３１】
前面部には上記譜面押さえ片部２１が設けられている。この押さえ片部２１はケース部１６、１６の開口部２８の上下端部及び両側端部に設けられている。
即ち、上記譜面押さえ片部２１は、上下縁部２１ａ、２１ｂ及び、側縁上方部２１ｃ及び側縁下方部２１ｄにおいては細幅に設けられると共に、側縁中間部２１ｅにおいては太幅であって平面台形状に設けられている。
【００３２】
非使用時には、図３に示す使用状態から、ケース部１６、１６を基板部１４方向へスライドさせることにより、譜面支持部１５、１５をケース部１６、１６内に収納すると共に、基板部１４を譜面支持部１５、１５内に収納させて、図１に示す状態に折り畳むことができる。
この場合、図２に示すように、ケース部１６、１６の背面部にはロック部２９が設けられていることから、ケース部１６、１６がスライドしないようにロック部２９により固定することができる。
【００３３】
以下、本実施の形態に係る譜面台１０の作用について説明する。
本実施の形態に係る譜面台１０は、上記のように非使用時にはケース部１６、１６の背面部にロック部２９により固定されていることから、図１に示すように、上記ロック部２９を解除し、一対の脚１３ａ、１３ａを起こし、所定角度に設定して鍵盤楽器の演奏者の前方の適宜の部位に設置する。
【００３４】
その後、図５に示すように、一対のケース部１６、１６を左右方向にスライドさせ、譜面支持部１５、１５を開き、使用する譜面又は譜面本３０のサイズに合わせて譜面台１０としてセットする。
この状態で、譜面又は譜面本３０を基板部１４及び譜面支持部１５、１５上に載せ、譜面又は譜面本３０の左右方向両端部をケース部１６、１６の押さえ片部２１、２１の側縁中間部２１ｅ、２１ｅの下方に配置する。
【００３５】
この場合、譜面又は譜面本３０は、図４に示すように、基板部１４に形成された突条部２０により前方に前出した状態で支持されると共に、上記譜面支持部１５、１５の、左右方向の内方端部２５から外方端部２６へ至るに従って前出する傾斜面により形成されている支持面部２４、２４により譜面又は譜面本３０のページの左右方向両端部が上記押さえ片部２１、２１の側縁中間部２１ｅ、２１ｅに近接し、又は、譜面本３０の厚さ寸法によっては押圧された状態で保持される。
【００３６】
その結果、１枚の譜面３０であっても自立した状態で確実に保持され、また、厚い譜面本３０であっても、安定した状態で確実に保持される。
また、本実施の形態に係る譜面台にあっては、ケース部１６、１６をスライドさせて最大限に展開させた場合には、横方向に２枚併置したＡ４版の用紙を収納できる大きさに形成できることから、譜面又は譜面本３０の製本サイズに拘わらず適合させ、充分に支持させて使用することができる。
本実施の形態に係る譜面台１０は、合成樹脂製であって、全体として軽量に形成されているため持ち運びも容易である。また、全体のケースとなるケース部１６、１６の背面部に脚部１３が設けられていることから、譜面台としてのみならず、読書の際に使用する書見台として使用することもできる。
【符号の説明】
【００３７】
１０  譜面台
１１  譜面台本体
１２  背面部
１３  脚部
１３ａ  脚
１３ｂ  固定部
１４  基板部
１５  譜面支持部
１６  ケース部
１７  ガイド部
１８  折曲片部
１９  前面部
１９ａ  一般面  
２０  突条部
２１  押さえ片部
２１ａ  上縁部
２１ｂ  下縁部
２１ｃ  側縁上方部
２１ｄ  側縁下方部
２１ｅ  側縁中間部
２２  スリット
２３  スリット
２４  支持面部
２６  外方端部
２７  溝部
２８  開口部
２９  ロック部
３０  譜面又は譜面本
５０  譜面台
５１  ベース部
５２  譜面台本体
５３  譜面支持部
５４  ページ押さえ部
５５  クリップ部
５６  譜面本
５７  背表紙受け部
５８  背表紙
５９  譜面ページ
【図１】
0003162687.tif 000003
【図２】
0003162687.tif 000004
【図３】
0003162687.tif 000005
【図４】
0003162687.tif 000006
【図５】
0003162687.tif 000007
【図６】
0003162687.tif 000008
【図７】
0003162687.tif 000009